(57)【要約】【課題】  少ない手間で取付けることができて組付け作業性を向上させることができるとともに、部品点数を削減することができるワイヤーハーネスの固定構造およびワイヤーハーネスの固定方法を提供する。【解決手段】  ワイヤーハーネスの固定構造は、内装部材３０の不織布３２の上に載置されたワイヤーハーネス１に対して、例えばニット伸縮布で形成され伸縮自在な固定部材１０を、ワイヤーハーネス１の幅方向に伸ばしておいて、ワイヤーハーネス１の上方から押付け、固定部材１０の裏面に設けた多数のフック部材１１を不織布３２に係止させ、これにより、ワイヤーハーネス１を内装部材３０に固定する構造となっている。【選択図】  図５
2006262649.tif 000002
【特許請求の範囲】
【請求項１】
被取付け部材上に載置されたワイヤーハーネスに対して、固定部材を前記ワイヤーハーネスの上方から押付けて前記被取付け部材に取付けることで、前記ワイヤーハーネスを前記被取付け部材に固定するワイヤーハーネスの固定構造であって、
前記固定部材の裏面に前記被取付け部材に係止可能な多数のフック部材が設けられていることを特徴とするワイヤーハーネスの固定構造。
【請求項２】
前記固定部材が伸縮性を有する部材で形成されていることを特徴とする請求項１に記載したワイヤーハーネスの固定構造。
【請求項３】
前記被取付け部材の上面には前記フック部材が係止可能となった不織布が貼付されていることを特徴とする請求項１または請求項２に記載したワイヤーハーネスの固定構造。
【請求項４】
前記固定部材が、前記ワイヤーハーネスに当接する当接部と、この当接部の両端に設けられるとともに前記被取付け部材に取付けられる固定部と、を含み構成され、前記当接部が伸縮性と粘着性とのうち少なくとも一方を有するとともに、前記固定部に前記多数のフック部材が設けられていることを特徴とする請求項１〜請求項３のいずれかに記載したワイヤーハーネスの固定構造。
【請求項５】
前記被取付け部材が自動車の内装部材であることを特徴とする請求項１〜請求項４のいずれかに記載したワイヤーハーネスの固定構造。
【請求項６】
被取付け部材上に載置されたワイヤーハーネスに対して、固定部材を前記ワイヤーハーネスの上方から押付けて前記被取付け部材に取付けることで、前記ワイヤーハーネスを前記被取付け部材に固定するワイヤーハーネスの固定方法であって、
前記固定部材が伸縮性部材で形成されるとともに、その裏面には前記被取付け部材に係止可能な多数のフック部材が設けられ、前記固定部材の両端を互いに反対方向に引張って引張した状態で、前記ワイヤーハーネスの上方から前記被取付け部材に押付け、前記固定部材のフック部材を前記被取付け部材に引掛けて係止させ、前記ワイヤーハーネスを前記被取付け部材に固定することを特徴とするワイヤーハーネスの固定方法。
【請求項７】
被取付け部材上に載置されたワイヤーハーネスに対して、固定部材を前記ワイヤーハーネスの上方から押付けて前記被取付け部材に取付けることで、前記ワイヤーハーネスを前記被取付け部材に固定するワイヤーハーネスの固定方法であって、
前記固定部材が、前記ワイヤーハーネスに当接しかつ伸縮性と粘着性とのうち少なくとも一方を有する当接部と、この当接部の両端に設けられるとともに前記被取付け部材に係止可能な多数のフック部材を有する固定部と、を含み構成され、前記固定部材の固定部を互いに反対方向に引張って引張した状態で、前記ワイヤーハーネスの上方から前記当接部を前記被取付け部材に押付けるとともに、前記固定部材のフック部材を前記被取付け部材に引掛けて係止させ、前記ワイヤーハーネスを前記被取付け部材に固定することを特徴とするワイヤーハーネスの固定方法。
【発明の詳細な説明】
【技術分野】
【０００１】
本発明は、ワイヤーハーネスの固定構造およびワイヤーハーネスの固定方法に係り、さらに詳しくは、組付け作業性を向上させることができるとともに、部品点数を削減することができるワイヤーハーネスの固定構造およびワイヤーハーネスの固定方法に関する。
【背景技術】
【０００２】
近年、エレクトロニクス設備が搭載された自動車や、複写機、券売機等の進歩が目覚しいものとなっている。これらの設備に欠かせない情報とエネルギーを伝送する配線システムとしてワイヤーハーネスが使用されている。
例えば、車のエンジン、メータ、ライト等を正確に作動させるには、何百本もの高性能な電線が必要となり、そのような電線や情報回路をコンパクトに束ねたものがワイヤーハーネスとして用いられている。
【０００３】
ワイヤーハーネスを、例えば車のボディ等に固定するには、基板タイプ、あるいはバンドタイプのクランプを用いて行なっていた。
このようなクランプを用いたワイヤーハーネスの固定方法では、車のリサイクルの際、ワイヤーハーネスを取外す必要がある。しかし、クランプを相手方の係止孔から抜き取ることが困難であり、治具を使用して行っているが、それでも容易に抜き取ることができない。しかも、多数のクランプが使用されているため、それらを１個づつボディから抜き取るには、多くの時間と労力とが掛かり、作業能率が悪いものであった。
【０００４】
そこで、クランプを使わずにワイヤーハーネスをボディに取付け、また、ボディから取外すようにして、上述のような効率の悪い取付け、取外し作業を改善したワイヤーハーネスの取付け構造が知られている（例えば特許文献１参照）。
前記特許文献１のワイヤーハーネスの取付け構造は、図１３に示すタイプのものと、図１４に示すタイプのものと示されている。すなわち、図１３に示すワイヤーハーネスの取付け構造は、布材５０Ａの一面に粘着材５０Ｂが塗布されているとともに、他面に雄型あるいは雌型いずれか一方の植毛状係止片５０Ｃが突設されたマジックテープ（商標登録）５０を、図示しないが、車体側の固定部材に予め固着してある雄型あるいは雌型いずれか一方の植毛状係止片が突設されているマジックテープに対して、雌雄の植毛状係止片同士を係止させることで固定されている。
【０００５】
図１４に示すワイヤーハーネスの取付け構造は、雄型あるいは雌型いずれか一方の植毛状係止片５０Ｃを巻付けたワイヤーハーネスをインストルメントパネル・ハーネス６０とし、このインストルメントパネル・ハーネス６０を、インストルメントパネル７０の配索溝７０Ａに挿入させ、配索溝７０Ａに予め固定された雄型あるいは雌型いずれか一方の植毛状係止片５０Ｄと係止させて固定させている。
【０００６】
【特許文献１】特開平１１−１５５２２６号公報
【発明の開示】
【発明が解決しようとする課題】
【０００７】
しかし、前述した各タイプのワイヤーハーネスの取付け構造では、次に述べるような問題がある。すなわち、マジックテープで電線群（ワイヤーハーネス）を巻付けなければならない。この巻付けは、長さが短い電線群であっても少なくともその両端を巻付けることが要求され、長い電線群の場合は複数箇所に巻付けなければならず、多くの手間がかかるものとなっている。その結果、車両等への組付け作業の効率が悪いという問題がある。
次に、前記取付け構造では、ワイヤーハーネスに巻付けるマジックテープと、このマジックテープと係止し合う相手方のマジックテープが必要となり、２つの部品を揃えなくてはならず、部品点数が多くなるという問題もある。
【０００８】
本発明の目的は、少ない手間で取付けることができて組付け作業性を向上させることができるとともに、部品点数を削減することができるワイヤーハーネスの固定構造およびワイヤーハーネスの固定方法を提供することである。
【課題を解決するための手段】
【０００９】
１）本発明のワイヤーハーネスの固定構造は、被取付け部材上に載置されたワイヤーハーネスに対して、固定部材を前記ワイヤーハーネスの上方から押付けて前記被取付け部材に取付けることで、前記ワイヤーハーネスを前記被取付け部材に固定するワイヤーハーネスの固定構造であって、前記固定部材の裏面に前記被取付け部材に係止可能な多数のフック部材が設けられていることを特徴とする。
【００１０】
前記構成のワイヤーハーネスの固定構造によれば、固定部材をワイヤーハーネスの上方から被取付け部材に押付け、固定部材のフック部材を被取付け部材に係止させるだけで、ワイヤーハーネスを固定することができるので、少ない手間で取付けることができて組付け作業性を向上させることができる。
また、固定部材をワイヤーハーネスの上方から被取付け部材に押付けるだけで、固定部材のフック部材を被取付け部材に係止させることができる。その結果、フック部材に対応する相手方の部材を別個に揃えなくてもよいので、部品点数を削減することができる。
【００１１】
２）本発明では、１）に記載したワイヤーハーネスの固定構造において、前記固定部材が伸縮性を有する部材で形成されていることを特徴とする。
【００１２】
前記構成のワイヤーハーネスの固定構造によれば、ワイヤーハーネスを被取付け部材に固定するときに、固定部材を引張りながら貼付すると、その後、内側に戻ろうとする力が働くので、ワイヤーハーネスを確実に固定することができる。
【００１３】
３）本発明では、１）または２）に記載したワイヤーハーネスの固定構造において、前記被取付け部材の上面には前記フック部材が係止可能となった不織布が貼付されていることを特徴とする。
【００１４】
前記構成のワイヤーハーネスの固定構造によれば、フック部材が引掛かりやすくなって、より作業性が向上する。また、雄型のフック部材に対応する雌型の部材を別個に揃えなくてもよくなるので、部品点数を削減することができる。
【００１５】
４）本発明では、１）〜３）のいずれかに記載したワイヤーハーネスの固定構造において、前記固定部材が、前記ワイヤーハーネスに当接する当接部と、この当接部の両端に設けられるとともに前記被取付け部材に取付けられる固定部と、を含み構成され、前記当接部が伸縮性と粘着性とのうち少なくとも一方を有するとともに、前記固定部に前記多数のフック部材が設けられていることを特徴とする。
【００１６】
前記構成のワイヤーハーネスの固定構造によれば、ワイヤーハーネスを被取付け部材に固定するときに、固定部材の固定部を引張り、当接部を伸ばしながら貼付すると、その後、内側に戻ろうとする力が当接部に働くので、ワイヤーハーネスを確実に固定することができる。
【００１７】
５）本発明では、１）〜４）のいずれかに記載したワイヤーハーネスの固定構造において、前記被取付け部材が自動車の内装部材であることを特徴とする。
【００１８】
前記構成のワイヤーハーネスの固定構造によれば、内装部材に載置されたワイヤーハーネスを、固定部材を内装部材に押付けてフック部材を係止させるだけで固定することができるので、自動車用のワイヤーハーネスを、内装部材に容易に固定することができる。
【００１９】
６）本発明のワイヤーハーネスの固定方法は、被取付け部材上に載置されたワイヤーハーネスに対して、固定部材を前記ワイヤーハーネスの上方から押付けて前記被取付け部材に取付けることで、前記ワイヤーハーネスを前記被取付け部材に固定するワイヤーハーネスの固定方法であって、前記固定部材が伸縮性部材で形成されるとともに、その裏面には前記被取付け部材に係止可能な多数のフック部材が設けられ、前記固定部材の両端を互いに反対方向に引張って引張した状態で、前記ワイヤーハーネスの上方から前記被取付け部材に押付け、前記固定部材のフック部材を前記被取付け部材に引掛けて係止させ、前記ワイヤーハーネスを前記被取付け部材に固定することを特徴とする。
【００２０】
７）本発明における他のワイヤーハーネスの固定方法は、被取付け部材上に載置されたワイヤーハーネスに対して、固定部材を前記ワイヤーハーネスの上方から押付けて前記被取付け部材に取付けることで、前記ワイヤーハーネスを前記被取付け部材に固定するワイヤーハーネスの固定方法であって、前記固定部材が、前記ワイヤーハーネスに当接しかつ伸縮性と粘着性とのうち少なくとも一方を有する当接部と、この当接部の両端に設けられるとともに前記被取付け部材に係止可能な多数のフック部材を有する固定部と、を含み構成され、前記固定部材の固定部を互いに反対方向に引張って引張した状態で、前記ワイヤーハーネスの上方から前記当接部を前記被取付け部材に押付けるとともに、前記固定部材のフック部材を前記被取付け部材に引掛けて係止させ、前記ワイヤーハーネスを前記被取付け部材に固定することを特徴とする。
【発明の効果】
【００２１】
本発明のワイヤーハーネスの固定構造およびワイヤーハーネスの固定方法によれば、少ない手間で取付けることができて組付け作業性を向上させることができるとともに、部品点数を削減することができる。
【発明を実施するための最良の形態】
【００２２】
以下、本発明に係る好適な実施の形態例を図面に基づいて説明する。
図１、図２には、第１実施形態のワイヤーハーネスの固定構造が示され、図３〜図５には、ワイヤーハーネスの固定方法が示されている。
【００２３】
本実施形態では、自動車用のワイヤーハーネス１が、伸縮性を有する固定部材１０によって被取付け部材である車体等の内装部材３０に押付けられて固定されている。
図１ではワイヤーハーネス１としてフラットワイヤが使用されているが、電線群となっている一般的なワイヤーハーネスでも使用することができる。
【００２４】
固定部材１０は、例えば全方向に伸縮可能なニット伸縮布、あるいは伸縮性を有する合成樹脂製とされ、用いられるワイヤーハーネス１の大きさに対応する幅寸法、および長さ寸法に形成されている。
固定部材１０の裏面、すなわちワイヤーハーネス１および内装部材３０側の面には、図２に示すように、多数のフック部材１１が植え込まれている。このフック部材１１は、可撓性を有する例えばポリエステル系の樹脂材料で形成され、釣り針形状となって相手方に係止しやすいようになっている。
【００２５】
内装部材３０は、例えばルーフライナー等の本体部３１と、その上面に接着等で固着された不織布３２とで構成されており、固定部材１０は不織布３２と対向していることになる。そして、固定部材１０のフック部材１１は、ワイヤーハーネス１に当接する部位を除いた部位が、固定部材１０を内装部材３０に押付けたとき不織布３２と係止し合い、これにより、ワイヤーハーネス１が内装部材３０に固定されるようになっている。
【００２６】
次に、図３〜図５を参照してワイヤーハーネス１の固定方法を説明する。
図３に示すように、内装部材３０の不織布３２の上面に所定のワイヤーハーネス１を配置した後、そのワイヤーハーネス１の上方に固定部材１０を配置する。次いで、その固定部材１０の両端部をワイヤーハーネス１の長手方向と直交する方向、かつ互いに反対方向の矢印Ａ１、Ａ２方向に引張って、固定部材１０を伸ばす。
【００２７】
そうすると、図４に示すように、固定部材１０が伸びるとともに、その裏面に植え込まれたフック部材１１間の間隔が広くなる。今度は、固定部材１０を伸ばした状態でワイヤーハーネス１を押し包むようにして、矢印Ｂ方向に動かし、固定部材１０を不織布３２に押し当てる。
【００２８】
固定部材１０が不織布３２に押し当てられたとき、図５に示すように、固定部材１０  のフック部材１１が、不織布３２と係止し合って固定部材１０が不織布３２に固定され、ワイヤーハーネス１が内装部材３０に固定される。
不織布３２に、伸ばされた状態で押し当てられた固定部材１０は、伸ばされる前の状態に戻ろうとする力が、矢印Ｃ１、Ｃ２のように、互いに内側に、すなわちワイヤーハーネス１を包み込む方向に働く。そのため、ワイヤーハーネス１が確実に固定される。
【００２９】
この際、固定部材１０を伸ばしたままの状態でワイヤーハーネス１を押包み、かつワイヤーハーネス１に当接しない部位の固定部材１０を不織布３２に押し当てたとき、固定部材１０の全体が前述のように互いに内側に縮まるので、固定部材１０の両端部が引張られ、不織布３２から剥がれるおそれがある。
そこで、固定部材１０を引張った状態でワイヤーハーネス１に当接させた後、ワイヤーハーネス１の縁部に沿わせた部位を、先に不織布３２に押し当ててその部位のフック部材１１を不織布３２に係止させ、縁部から外側の部位は元の状態に縮ませた状態、すなわち伸ばさない状態で、不織布３２に押し当てるようにすれば、縁部から外側の部位が剥がれることなく係止され、ワイヤーハーネス１をより確実に固定することができる。
【００３０】
上述した第１実施形態によれば、固定部材１０をワイヤーハーネス１の上方から内装部材３０に押付け、固定部材１０のフック部材１１を内装部材３０の不織布３２に係止させるだけで、ワイヤーハーネス１を固定することができる。その結果、少ない手間で取付けることができて組付け作業性を向上させることができる。
【００３１】
また、固定部材１０をワイヤーハーネスの上方から内装部材３０に押付けるだけで、固定部材１０のフック部材１１を内装部材３０の不織布３２に係止させることができる。その結果、雄型のフック部材に対応する雌型の部材を別個に揃えなくてもよくなるので、部品点数を削減することができる。
【００３２】
さらに、ワイヤーハーネス１を内装部材３０に固定するときに、固定部材１０を引張りながら貼付しているので、固定部材１０には、その後、内側に戻ろうとする力が働き、ワイヤーハーネス１を包み込むようになり、確実に固定することができる。
【００３３】
また、内装部材３０には不織布３２が張られているので、フック部材１１が引掛かりやすくなって、より作業性が向上する。
【００３４】
次に、本発明の第２実施形態を説明する。
図６、図７には、第２実施形態のワイヤーハーネス１の固定構造が示され、図８〜図１０には、ワイヤーハーネス１の固定方法が示されている。
なお、この実施形態において、前記第１実施形態の部材と同一部材には、同一符号を付すとともに、その詳細な説明は省略または簡略化する。
【００３５】
本実施形態では、ワイヤーハーネス１を固定する固定部材２０が、前記第１実施形態の固定部材１０と異なっている。すなわち、本実施形態の固定部材２０は、長さ方向中央部の当接部である伸縮自在な粘着部２０Ａと、この粘着部２０Ａの両端に連続して設けられた固定部２０Ｂとを有して形成されている。
【００３６】
固定部材１０の粘着部２０Ａとしては、例えば前記ニット伸縮布が使用されている。また、粘着部２０Ａは、引伸ばさない状態でもワイヤーハーネス１の幅を覆うことができる寸法の長さに形成されている。
【００３７】
固定部材１０の固定部２０Ｂは、伸縮性を有しない例えば合成樹脂部材で形成され、上述のように粘着部２０Ａと一体的に繋がっている。この固定部２０Ｂの裏面には、前記多数のフック部材１１が植え込まれている。
【００３８】
次に、図８〜図１０を参照して第２実施形態のワイヤーハーネス１の固定方法を説明する。
図８に示すように、内装部材３０の不織布３２の上面に所定のワイヤーハーネス１を配置するとともに、そのワイヤーハーネス１の上方に、固定部材１０の粘着部２０Ａがくるように固定部材１０を配置する。そして、固定部材１０の固定部２０Ｂの両端部をワイヤーハーネス１の長手方向と直交する方向、かつ互いに反対方向の矢印Ａ１、Ａ２方向に引張って、固定部材１０の粘着部２０Ａを伸ばす。
【００３９】
そうすると、図９に示すように、粘着部２０Ａがワイヤーハーネス１の幅方向に伸びるので、今度は、その粘着部２０Ａでワイヤーハーネス１を押し包むようにして、矢印Ｂ方向に動かし、固定部材１０を不織布３２に押し当てる。
【００４０】
固定部材１０が不織布３２に押し当てられたとき、図１０に示すように、固定部材１０の固定部２０Ｂに植え込まれているフック部材１１が、不織布３２と係止し合って固定部２０Ｂが不織布３２に固定される結果、ワイヤーハーネス１が固定される。
不織布３２に、伸ばされた状態で押し当てられた粘着部２０Ａは、伸ばされる前の状態に戻ろうとする力が、矢印Ｃ１、Ｃ２のように、互いに内側に、すなわちワイヤーハーネス１を包み込む方向に働く。そのため、ワイヤーハーネス１が確実に固定される。
【００４１】
上述した第２実施形態によれば、前記第１実施形態とほぼ同様の効果を得ることができる。
【００４２】
なお、本発明に係るワイヤーハーネス１の固定構造および固定方法は、上述した実施の形態に限定されるものではなく、適宜な変形、改良等が可能である。
例えば、前記第２実施形態におけるニット伸縮布で形成された固定部材２０の粘着部２０Ａに替えて、例えば、図１１に示すように、裏面に接着剤を塗布した粘着部２０Ｃを用いてもよい。そして、予め、その接着剤にワイヤーハーネス１を接着、固定した状態で納入するようにしてもよい。この場合、粘着部２０Ｃは伸縮性を有していなくてもよい。
内装部材３０に固定するには、一体となった固定部材１０とワイヤーハーネス１とを、矢印Ｂの方向の内装部材３０に押付け、図１２に示すように、固定部２０Ｂのフック部材１１を不織布３２に係止させるだけでよい。
このような実施形態によれば、例えば狭い場所において内装部材３０にワイヤーハーネス１を固定する際に、狭い場所で固定部２０Ｂを引張って粘着部２０Ａを伸ばす困難な作業が不要となり、作業性の向上を図ることができる。なお、粘着部２０Ｃとして、例えば布製粘着テープを用いてもよい。
【００４３】
また、前記第１実施形態では、固定部材１０が伸縮自在なニット伸縮布で形成されていたが、これに限らない。固定部材１０を、伸縮しない通常の布製帯状部材、合成樹脂等で形成してもよい。要は、固定部材１０の裏面に設けたフック部材１１を内装部材３０に係止することで、ワイヤーハーネス１を固定することができればよい。
【００４４】
また、前記各実施形態では、固定部材１０，２０によってワイヤーハーネス１を取付け、固定する被取付け部材は、自動車のルーフライナー等の内装部材３０であったが、これに限らず、複写機、自動販売機、券売機、冷蔵庫等の機器にワイヤーハーネス１を固定する場合にも、本発明を適用することができる。
【図面の簡単な説明】
【００４５】
【図１】本発明に係るワイヤーハーネスの固定構造の第１実施形態を示す分解斜視図である。
【図２】前記実施形態の要部を示す側面図である。
【図３】前記実施形態のワイヤーハーネスを固定する第１手順を示す図である。
【図４】前記実施形態のワイヤーハーネスを固定する第２手順を示す図である。
【図５】前記実施形態のワイヤーハーネスを固定する第３手順を示す図である。
【図６】本発明に係るワイヤーハーネスの固定構造の第２実施形態を示す分解斜視図である。
【図７】前記第２実施形態の要部を示す側面図である。
【図８】前記第２実施形態のワイヤーハーネスを固定する第１手順を示す図である。
【図９】前記第２実施形態のワイヤーハーネスを固定する第２手順を示す図である。
【図１０】前記第２実施形態のワイヤーハーネスを固定する第３手順を示す図である。
【図１１】本発明の変形形態を示す分解図である。
【図１２】本発明の変形形態を示す組付け図である。
【図１３】従来のワイヤーハーネスの固定構造を示す斜視図である。
【図１４】従来のワイヤーハーネスの固定構造を示す別実施例の斜視図である。
【符号の説明】
【００４６】
１        ワイヤーハーネス
１０        固定部材
１１        フック部材
２０        固定部材
２０Ａ      粘着部
２０Ｂ      固定部
２０Ｃ      粘着部
３０        被取付け部材である内装部材
３２        不織布
【図１】
2006262649.tif 000003
【図２】
2006262649.tif 000004
【図３】
2006262649.tif 000005
【図４】
2006262649.tif 000006
【図５】
2006262649.tif 000007
【図６】
2006262649.tif 000008
【図７】
2006262649.tif 000009
【図８】
2006262649.tif 000010
【図９】
2006262649.tif 000011
【図１０】
2006262649.tif 000012
【図１１】
2006262649.tif 000013
【図１２】
2006262649.tif 000014
【図１３】
2006262649.tif 000015
【図１４】
2006262649.tif 000016